(57)【要約】【課題】  密封ケースの密閉が損なわれたこと的確に検知する。【解決手段】  表面側ラミネートフィルム４と裏面側ラミネートフィルム６は、密着周縁１０によって電極積層体を密閉している。表面側ラミネートフィルム４の周縁部１２の内面に表面側アルミ片１８群が断続的に付され、裏面側ラミネートフィルム６の周縁部１４の内面に裏面側アルミ片２０群（図示省略）が断続的に付されている。連続していない表面側アルミ片１８同士を裏面側アルミ片２０が導通させ、連続していない裏面側アルミ片２０同士を表面側アルミ片１８が導通させる位置関係で配置され、導電ラインを形成している。密着周縁１０の密閉が損なわれると、表面側アルミ片１８と裏面側アルミ片２０の接触が断たれて導電ラインが断線し、密着周縁１０の密閉が失われたのかを知ることができる。【選択図】  図１
2006164532.tif 000002
【特許請求の範囲】
【請求項１】
正極と負極とセパレータとから成る電極体と、
電極体に含浸している電解液と、
電極体の正極に接続されている正端子と、
電極体の負極に接続されている負端子と、
正端子と負端子が外部に突出する位置関係で電極体と電解液を密封している密閉ケースを有しており、
表面側半ケースと裏面側半ケースの各々の周縁が密着しあうことによって密閉ケースを形成しており、
その密着周縁に隣接する位置に密着が損なわれたときに断線する連続導電体が配置されており、
その連続導電体は、表面側半ケースの内面の密着周縁に隣接する位置に断続的に形成されている導電体群と、裏面側半ケースの内面の密着周縁に隣接する位置に断続的に形成されている導電体群で構成されており、連続していない表面側導電体同士を裏面側導電体が導通させ、連続していない裏面側導電体同士を表面側導電体が導通させる位置関係で配置されていることを特徴とする電池。
【請求項２】
連続導電体の一端が正端子に接続されており、他端が抵抗を介して接地されており、その他端の電圧が監視されていることを特徴とする請求項１の電池。
【請求項３】
連続導電体の一端が抵抗を介して定電圧に接続されており、他端が負端子に接続されており、その一端の電圧が監視されていることを特徴とする請求項１の電池。
【請求項４】
密閉ケースを一巡する連続導電体が２分されており、一方の連続導体の一端が正端子に接続されており、他端が抵抗を介して接地されており、その他端の電圧が監視されており、他方の連続導電体の一端が抵抗を介して定電圧に接続されており、他端が負端子に接続されており、その一端の電圧が監視されていることを特徴とする請求項１の電池。
【請求項５】
密閉ケースの周縁に、内側周縁同士を弱く密着させている第１密着周縁と、外側周縁同士を強く密着させている第２密着周縁が形成されており、
第１密着周縁と第２密着周縁の間に連続導電体が配置されていることを特徴とする請求項１の電池。
【発明の詳細な説明】
【技術分野】
【０００１】
本発明は、正極と負極とセパレータとから成る電極体と、その電極体に含浸している電解液を、密閉ケース内に収容している電池に関する。詳しくは、密閉ケースの密閉が損なわれたことを検知する技術に関する。
【背景技術】
【０００２】
表面側半ケースと裏面側半ケースの各々の周縁を密着することによって形成される密閉ケース内に、電極体と電解液を収容して密封した電池が開発されている。
その密着周縁の密閉が損なわれると、電解液やガスが流出するおそれがあり、密閉が損なわれたことを検出する技術が必要とされている。
【０００３】
特許文献１に、電池ケースから液が漏れたことを検知する技術が開示されている。この技術では、電解液が浸入すると導電率が変化するセンサ層と、それを挟む一対の電極を利用する。電池ケースから電解液が漏れると、センサ層に電解液が浸入し、センサ層の導電率が変化する。特許文献１の技術では、電極間電圧を監視することによって、密閉ケースの密閉が損なわれたことを検知する。
【特許文献１】特開２０００−２６８８８４号公報
【発明の開示】
【発明が解決しようとする課題】
【０００４】
特許文献１の技術では、センサ層に電解液が浸入する現象の発生を監視する。しかしながら小型の電池の場合、密閉ケース内に密閉されている電解液の量が少ないために、密閉ケースの密閉が損なわれても電解液が漏れ出ないことがある。特許文献１の技術では、密閉ケースの密閉が損なわれたことを検知できないことがある。
【０００５】
本発明では、密閉ケースの密閉が損なわれたこと的確に検知することができる技術を提供する。
【課題を解決するための手段】
【０００６】
（課題を解決するための手段）
本発明の電池は、正極と負極とセパレータとから成る電極体と、電極体に含浸している電解液と、電極体の正極に接続されている正端子と、電極体の負極に接続されている負端子と、密閉ケースを備えている。密閉ケースは、正端子と負端子が外部に突出する位置関係で電極体と電解液を密封している。密閉ケースは、表面側半ケースと裏面側半ケースの各々の周縁が密着しあうことによって形成されている。
本発明の電池では、密着周縁に隣接する位置に、密着が損なわれたときに断線する連続導電体が配置されている。その連続導電体は、表面側半ケースの内面の密着周縁に隣接する位置に断続的に形成されている導電体群と、裏面側半ケースの内面の密着周縁に隣接する位置に断続的に形成されている導電体群で構成されており、連続していない表面側導電体同士を裏面側導電体が導通させ、連続していない裏面側導電体同士を表面側導電体が導通させる位置関係で配置されている。
密閉ケースがラミネートシートで形成される場合、表面側のラミネートシートと裏面側のラミネートシートのそれぞれが表面側半ケースと裏面側半ケースに相当し、周縁が密着することによって袋状のケースを構成する。アルミ板等の剛体によって表面側半ケースと裏面側半ケースを形成することもできる。
【０００７】
（その作用と効果）
本発明の電池では、表面側半ケースの内面の密着周縁に隣接する位置に導電体群が断続的に形成されており、裏面側半ケースの内面の密着周縁に隣接する位置にも導電体群が断続的に形成されている。表面側導電体同士は分離されており、導通していない。同様に、裏面側導電体同士も分離されており、導通していない。
しかしながら、連続していない表面側導電体同士を裏面側導電体が導通させ、連続していない裏面側導電体同士を表面側導電体が導通させる位置関係で配置されているために、表面側半ケースと裏面側半ケースの密閉が保たれている限り、導電体同士が導通して連続導電体を形成する。密着周縁に隣接する位置に、連続導電体が配置されていることになる。表面側半ケースと裏面側半ケースの密閉が損なわれると、表面側導電体と裏面側導電体の接触が断たれ、連続導電体が断線する。密着周縁に隣接する位置を伸びている導電体が連続しているのか断線したのかを監視することによって、表面側半ケースと裏面側半ケースの密着が保たれているのか密着が損なわれたのかを検知することかできる。
導電体が連続しているのか断線したのかを監視するためには、既存の種々の手法がとりえる。典型的には、導電体の一端に電位を加えておき、他端を接地する。必要に応じて抵抗を利用してインピーダンスを高くして流れる電流を低減することができる。導通しているときと断線したときで電位が変化する部位の電位を監視することで、断線の発生を検知することができる。
【０００８】
（課題を解決するための好ましい手段）
連続導電体の一端に加える電圧を電池から得ることもできる。この場合、連続導電体の一端が正端子に接続されており、他端が抵抗を介して接地されており、その他端の電圧を監視する。その他端は、抵抗を介して負端子に接続することによって接地してもよい。
（その作用と効果）
この場合、断線の発生を検知するために必要な電源を別に用意する必要がなく、電池電圧を兼用することができる。
【０００９】
（課題を解決するための好ましい手段）
連続導電体の他端を接続しておく接地極を、電池の接地極と兼用することもできる。この場合、連続導電体の一端が抵抗を介して定電圧に接続されており、他端が接地されており、その一端の電圧を監視する。前記一端は、抵抗を介して正端子に接続しておいてもよい。
（その作用と効果）
この場合、連続導電体の他端を接地するためのリード線を別に用意する必要がない。
【００１０】
（課題を解決するための好ましい手段）
密閉ケースを一巡する連続導電体を２分してもよい。この場合、一方の連続導体の一端が正端子に接続されており、他端が抵抗を介して接地されており、その他端の電圧を監視する。他方の連続導体の一端が抵抗を介して定電圧に接続されており、他端が負端子に接続されており、その一端の電圧を監視する。
（その作用と効果）
この場合、２分されたいずれの連続導電体で断線が発生したのかを知ることができるため、密閉が損なわれた箇所を容易に把握することができる。
【００１１】
（課題を解決するための好ましい手段）
密閉ケースの周縁に、内側周縁同士を弱く密着させている第１密着周縁と、外側周縁同士を強く密着させている第２密着周縁が形成されており、第１密着周縁と第２密着周縁の間に連続導電体が配置されていることが好ましい。
（その作用と効果）
この場合、弱く密着している内側の第１密着周縁の密着が損なわれた場合に連続導電体が断線し、内側の第１密着周縁の密着が損なわれたことを検知することができる。この段階では外側の第２密着周縁では密着が失われていない。第２密着周縁で密着が失われる以前に異常現象の発生を検知することができる。
【発明を実施するための最良の形態】
【００１２】
以下に発明を実施するための最良の形態を列記する。
（形態１）内側の密着周縁と外側の密着周縁の間に連続導電体が配置されている。内側の密着周縁と外側の密着周縁の間の距離は短く、表面側半ケースと裏面側半ケースはその間でも強く接触している。
【実施例】
【００１３】
（第１実施例）
図面を参照しながら本発明の第１実施例を説明する。図１は、本実施例に係る二次電池２の概略斜視図である。
二次電池２は、表面側（紙面手前側）のラミネートフィルム４と裏面側（紙面奥側）のラミネートフィルム６を二枚重ねとし、その間に電極体を挟んで密閉して収容したものである。
電極体（図示省略）は、正極とセパレータと負極とセパレータの組を積層し、電解液に浸漬したものである。電極体の正極には正端子１６が接続され、負極には負端子２２が接続されている。正端子１６と負端子２２は、ラミネートフィルム４の周縁部１２とラミネートフィルム６の周縁部１４より外方に突出している。
ラミネートフィルム４，６は、アルミニウム等の金属シートの両面に、接着材層を介して熱溶着性の樹脂層を重ね合せた薄いシートである。ラミネートフィルム４，６は、収容部８内に電極体と電解液を収容して密封している。ラミネートフィルム４側の収容部８の周縁より外側には、表面側（紙面手前側）の周縁部１２が延出し、ラミネートフィルム６側の収容部８の周縁より外側には、裏面側（紙面奥側）の周縁部１４が延出している。周縁部１２，１４には、両者の略全面を熱溶着した密着周縁１０が形成されている。密着周縁１０が形成されることによって、電極体が収容部８に密閉されて収容されている。
【００１４】
表面側ラミネートフィルム４の周縁部１２の内面には、表面側アルミ片群１８（１８Ａ〜１８T）が付されている。表面側アルミ片群１８は、収容部８の外周に沿って等間隔で一列に配置されている。表面側アルミ片１８同士は連続していない。表面側アルミ片群には二通りの形状がある。一つは、表面側アルミ片１８Ａ，Ｂ，C等のように平面視したときに円形のものであり、もう一つは、表面側アルミ片１８Ｅ，Ｐのように平面視したときに楕円形のものである。表面側アルミ片１８Ｅ，Ｐは、正端子１６と負端子２２の幅よりも長く、正端子１６と負端子２２から絶縁された状態で、正端子１６と負端子２２を跨いでいる。
図1では図示されていないが、裏面側ラミネートフィルム４の周縁部１４の内面にも、裏面側アルミ片群２０（２０Ａ〜２０Ｓ）が付されている。裏面側アルミ片群２０も、収容部８の外周に沿って等間隔で一列に配置されている。裏面側アルミ片２０同士も、連続していない。
【００１５】
図１のII−II断面図を、図２に示す。表面側アルミ片１８Ｒ，１８Ｑ，１８Ｏ，１８Ｎは平板形状である（図１に示す１８Ａ，１８Ｂ，１８Ｃ等と同形状である）のに対し、表面側アルミ片１８Ｐは負端子２２を跨ぐ形状であり、絶縁シート１９Ｐによって、負端子２２から絶縁されている（図１に示す１８Ｅも同形状である）。
図２では、裏面側ラミネートフィルム６の周縁部１４の内面に付された裏面側アルミ片群（２０Ａ〜２０Ｓ）の一部（２０Ｑ，２０Ｐ，２０Ｏ，２０Ｎ）が示されている。裏面側アルミ片群２０は、表面側アルミ片１８Ａ，１８Ｂ，１８Ｃ等と同じ平板形状（平面視したときに円形）であり、収容部８の外周に沿って等間隔で一列に配置されている。裏面側アルミ片２０同士は、連続していない。
収容部８から各表面側アルミ片１８までの距離と、収容部８から各裏面側アルミ片２０までの距離は同じとされている。周縁部１２，１４を重ね合せると、表面側アルミ片群１８と裏面側アルミ片群２０は同一ライン上に配置される。
また、各表面側アルミ片１８と各裏面側アルミ片２０は、交互にオフセットする位置関係で配置されている。すなわち、隣りあってはいるが連続していない表面側アルミ片１８同士を裏面側アルミ片２０が導通させ、隣りあってはいるが連続していない裏面側アルミ片同士２０を表面側アルミ片１８が導通させる位置関係で配置されている。具体的には、表面側アルミ片１８Ａの一部が裏面側アルミ片２０Ａの一部に接し、裏面側アルミ片２０Ａの他の一部が表面側アルミ片１８Ｂの一部に接し、表面側アルミ片１８Ｂの他の一部が裏面側アルミ片２０Ｂの一部に接し、・・・というサイクルを繰返すように配置されている。密着周縁１０の密着が維持されている限り、表面側アルミ片１８と裏面側アルミ片２０が接触しており、表面側アルミ片１８と裏面側アルミ片２０が交互に連続する連続導電ラインが形成される。
これらの表面側アルミ片群１８と裏面側アルミ片群２０は、周縁部１２，１４の略全面に密着周縁１０が形成されることによって、密着周縁１０に熱溶着して周縁部１２，１４の間に挟まれて密封される。ただし、各表面側アルミ片１８と各裏面側アルミ片２０が接触する部分では、密着周縁１０に熱溶着していない。
【００１６】
図１の実施例では、連続導電ラインの一端に位置する表面側アルミ片１８Ａが電圧供給線３０によって定電圧（Ｖｃｃ）４２に接続され、連続導電ラインの他端に位置する表面側アルミ片１８Ｔが抵抗４４を介して接地されている。
連続導電ラインが、一端に位置するアルミ片１８Ａから他端に位置するアルミ片１８Ｔに至るまで連続していると、アルミ片１８Ｔの電位は定電圧（Ｖｃｃ）に維持される。連続導電ラインが、途中で断線すると、アルミ片１８Ｔの電位は接地される。
アルミ片１８Ｔは、電圧検知回路５０に接続されている。電圧検知回路５０は、アルミ片１８Ｔの電圧を検知する。電圧検知回路５０には、警告ランプを点灯させる異常報知回路５２が組み込まれており、監視している電圧が接地電圧に変化した場合に、警告ランプを点灯させる。
【００１７】
二次電池２の充放電を多数回繰返したり、二次電池２を高温で保管したりすると、電極体からガスが発生することがある。電極体からガスが発生すると、収容部８の内圧が上昇して膨張する。膨張が進んで密着周縁１０が内圧に対抗できなくなると、図３に示すように密着周縁１０の密着が損なわれて開封される。密着周縁１０の密着が損なわれた部分では、表面側アルミ片１８群と裏面側アルミ片２０群の密着が失われる。こうなると、表面側アルミ片群１８と裏面側アルミ片群２０で形成されていた導電ラインが断線する。このとき、電圧検知回路５０が監視している電圧が定電圧（Ｖｃｃ）から接地電圧に変化する。電圧検知回路５０は、監視している電圧が接地電圧に変化した場合に、警告ランプを点灯させる。密着周縁１０が開封したことを報知する。
【００１８】
本実施例では、連続導電体の一端が定電圧（Ｖｃｃ）に接続され、他端が抵抗を介して接地されており、その他端の電圧を監視することによって、密着周縁が開封したことを報知する。
【００１９】
（変形例）
図４は、第１実施例の変形例を模式的に示す図である。変形例では、第１実施例と電圧を検知する部位が異なる。図４では、第１実施例と同様の構成に同じ符号を付して重複説明を省略する。
図４に示すように、表面側アルミ片１８Ａは、抵抗４０を介して定電圧（Ｖｃｃ）４２に接続されている。表面側アルミ片１８Ｔは、接地されている。表面側アルミ片１８Ａは、電圧検知回路５０に接続されている。
図４において、破線は裏面側アルミ片２０Ａ〜２０Ｓを示す。表面側アルミ片１８と区別するために、アルファベットの小文字で示す。
【００２０】
表面側アルミ片１８Ａ〜１８Ｔと裏面側アルミ片２０Ａ〜２０Ｓで形成されている連続導電ラインが、表面側アルミ片１８Ａから表面側アルミ片１８Ｔまで連続していると、表面側アルミ片１８Ａの電位は接地電圧に等しい。電極積層体からガスが発生し、ラミネートフィルムの収容部８の内圧が高くなって膨張すると、図示しない密着周縁（連続導電ラインの内側に位置している）が開封して連続導電ラインが断線する。こうなると、表面側アルミ片１８Ａの電位は定電圧（Ｖｃｃ）に等しくなる。このとき、電圧検知回路５０が監視している電圧が接地電圧から定電圧（Ｖｃｃ）に変化する。電圧検知回路５０は、監視している電圧が定電圧（Ｖｃｃ）に変化した場合に、警告ランプを点灯させる。密着周縁１０が開封したことを報知する。
【００２１】
本実施例では、連続導電体の一端が抵抗を介して定電圧に接続され、他端が接地されており、その一端の電圧を監視することによって、密着周縁が開封したことを報知する。
【００２２】
（第２実施例）
図５は、第２実施例に係る二次電池を模式的に示す図である。図５では、第１実施例と同様の構成には同じ符号を付して重複説明を省略する。
図５に示すように、二次電池２０２の表面側アルミ片群２１８は、図示しない収容部の外周に沿って等間隔で一列に配置されている。表面側アルミ片２１８同士は、連続していない。
図５において、破線は裏面側アルミ片２２０Ａ〜２２０Ｕを示す。表面側アルミ片２１８と区別するために、アルファベットの小文字で示す。
各表面側アルミ片２１８と各裏面側アルミ片２２０は、交互にオフセットする位置関係で配置されている。すなわち、隣りあってはいるが連続していない表面側アルミ片２１８同士を裏面側アルミ片２２０が導通させ、隣りあってはいるが連続していない裏面側アルミ片同士２２０を表面側アルミ片２１８が導通させる位置関係で配置されている。これによって、表面側アルミ片２１８Ａから２１８Ｖに至る連続導電ラインが形成されている。
連続導電ラインの一端に位置する表面側アルミ片２１８Ａは、電池２０２の正端子１６に接続されている。連続導電ラインの他端に位置する表面側アルミ片２１８Ｖは、抵抗４４を介して接地されている。表面側アルミ片２１８Ｌは、負端子２２から絶縁されている。表面側アルミ片２１８Ｖは、電圧検知回路５０に接続されている。
連続導電ラインの一端に位置するアルミ片２１８Ａから他端に位置するアルミ片２１８Ｖに至るまで連続していると、アルミ片２１８Ｖの電位は電池電圧に維持される。連続導電ラインが途中で断線すると、アルミ片２１８Ｖの電位は接地される。
電圧検知回路５０は、アルミ片２１８Ｖの電圧を検知する。監視している電圧が接地電圧に変化した場合に、警告ランプを点灯させる。
【００２３】
密着周縁での密着が損なわれて開封すると、表面側アルミ片２１８群と裏面側アルミ片２２０群の密着が失われる。即ち、表面側アルミ片２１８群と裏面側アルミ片２２０群で形成されていた導電ラインが断線する。このとき、電圧検知回路５０が監視している電圧が電池電圧から接地電圧に変化する。電圧検知回路５０は、監視している電圧が接地電圧に変化した場合に、警告ランプを点灯させる。密着周縁が開封したことを報知する。
【００２４】
本実施例では、連続導電体の一端が正端子に接続され、他端が抵抗を介して接地されており、その他端の電圧を監視することによって、密着周縁が開封したことを報知する。断線の発生を検知するために必要な電源を別に用意する必要がない。
【００２５】
（第３実施例）
図６は、第３実施例に係る二次電池を模式的に示す図である。図６では、第１実施例と同様の構成には同じ符号を付して重複説明を省略する。
図６に示すように、二次電池３０２の表面側アルミ片群３１８は、図示しない収容部の外周に沿って等間隔で一列に配置されている。表面側アルミ片３１８同士は、連続していない。
図６において、破線は裏面側アルミ片３２０Ａ〜３２０Ｕを示す。表面側アルミ片３１８と区別するために、アルファベットの小文字で示す。
各表面側アルミ片３１８と各裏面側アルミ片３２０は、交互にオフセットする位置関係で配置されている。すなわち、隣りあってはいるが連続していない表面側アルミ片３１８同士を裏面側アルミ片３２０が導通させ、隣りあってはいるが連続していない裏面側アルミ片同士３２０を表面側アルミ片３１８が導通させる位置関係で配置されている。これによって、表面側アルミ片３１８Ａから３１８Ｖに至る連続導電ラインが形成されている。
連続導電ラインの一端に位置する表面側アルミ片３１８Ａは、抵抗４０を介して定電圧（Ｖｃｃ）４２に接続されている。連続導電ラインの他端に位置する表面側アルミ片３１８Ｖは、負端子２２に接続されている。表面側アルミ片３１８Ｋは、正端子１６から絶縁されている。表面側アルミ片３１８Ａは、電圧検知回路５０に接続されている。
導電ラインの一端に位置するアルミ片３１８Ａから他端に位置するアルミ片３１８Ｖに至るまで連続していると、アルミ片３１８Ａの電位は接地電圧に維持される。連続導電ラインが途中で断線すると、アルミ片３１８Ｖの電位は定電圧（Ｖｃｃ）に変化する。
電圧検知回路５０は、アルミ片３１８Ａの電圧を検知する。監視している電圧が定電圧（Ｖｃｃ）に変化した場合に、警告ランプを点灯させる。
【００２６】
密着周縁での密着が損なわれて開封すると、表面側アルミ片３１８群と裏面側アルミ片３２０群の密着が失われる。即ち、表面側アルミ片３１８群と裏面側アルミ片３２０群で形成されていた導電ラインが断線する。このとき、電圧検知回路５０が監視している電圧が接地電圧から定電圧に変化する。電圧検知回路５０は、監視している電圧が定電圧に変化した場合に、警告ランプを点灯させる。密着周縁が開封したことを報知する。
【００２７】
本実施例では、連続導電体の一端が抵抗を介して定電圧に接続され、他端が負端子に接続されており、その一端の電圧を監視することによって、密着周縁が開封したことを報知する。断線の発生を検知するために必要な接地線を別に用意する必要がない。
【００２８】
（第４実施例）
図７は、第４実施例に係る二次電池を模式的に示す図である。図７では、第１実施例と同様の構成には同じ符号を付して重複説明を省略する。
図７の概略平面図に示すように、二次電池４０２の表面側アルミ片群は、表面側アルミ片４１８群と表面側アルミ片４２４群に２分される。
表面側アルミ片４１８群は、収容部８の外周に沿って等間隔で一列に配置されている。図７では図示されていないが、裏面側ラミネートフィルムの周縁部の内面にも、裏面側アルミ片群が付されている。裏面側アルミ片群も、収容部８の外周に沿って等間隔で一列に配置されている。裏面側アルミ片同士は、連続していない。
表面側アルミ片４２４群も、収容部８の外周に沿って等間隔で一列に配置されている。図７では図示されていないが、裏面側ラミネートフィルムの周縁部の内面にも、裏面側アルミ片群が付されている。裏面側アルミ片群も、収容部８の外周に沿って等間隔で一列に配置されている。裏面側アルミ片同士は、連続していない。
【００２９】
各表面側アルミ片４１８と各裏面側アルミ片は、交互にオフセットする位置関係で配置されている。すなわち、隣りあっているが連続していない表面側アルミ片４１８同士を裏面側アルミ片が導通させ、隣りあっているが連続していない裏面側アルミ片同士を表面側アルミ片４１８が導通させる位置関係で配置されている。同様に、隣りあってはいるが連続していない表面側アルミ片４２４同士を裏面側アルミ片が導通させ、隣りあってはいるが連続していない裏面側アルミ片同士を表面側アルミ片４２４が導通させる位置関係で配置されている。
図７のＶIII−ＶIII断面図を、図８に示す。例えば、表面側アルミ片４２４Ｈの一部が裏面側アルミ片４２６Ｈの一部に接し、裏面側アルミ片４２６Ｈの他の一部が表面側アルミ片４２４Ｉの一部に接し、表面側アルミ片４２４Ｉの他の一部が裏面側アルミ片４２６Ｉの一部に接し、・・・というサイクルを繰返すように配置されている。密着周縁１０の密着が維持されている限り、表面側アルミ片４２４と裏面側アルミ片４２６が接触しており、表面側アルミ片４２４と裏面側アルミ片４２６が交互に連続する連続導電ラインが形成される。同様に、表面側アルミ片４１８Ｈの一部が裏面側アルミ片４２０Ｈの一部に接し、裏面側アルミ片４２０Ｈの他の一部が表面側アルミ片４１８Ｉの一部に接し、表面側アルミ片４１８Ｉの他の一部が裏面側アルミ片４２０Ｉの一部に接し、・・・というサイクルを繰返すように配置されている。密着周縁１０の密着が維持されている限り、表面側アルミ片４１８と裏面側アルミ片４２０が接触しており、表面側アルミ片４１８と裏面側アルミ片４２０が交互に連続する連続導電ラインが形成される。
【００３０】
図７の実施例では、一方の連続導電ラインの一端に位置する表面側アルミ片４１８Ａが電池の正端子に１６に接続され、連続導電ラインの他端に位置する表面側アルミ片４１８Ｊが抵抗４４を介して接地されている。他方の連続導電ラインの一端に位置する表面側アルミ片４２４Ａは、抵抗４０を介して定電圧（Ｖｃｃ）４２に接続され、連続導電ラインの他端に位置する表面側アルミ片４２４Ｊは負端子２２に接続されている。
アルミ片４１８Ｊは、電圧検知回路５０Ａに接続されている。電圧検知回路５０Ａは、アルミ片４１８Ｊの電圧を検知する。電圧検知回路５０Ａには、警告ランプを点灯させる異常報知回路が組み込まれており、監視している電圧が接地電圧に変化した場合に、警告ランプを点灯させる。
アルミ片４２４Ａは、電圧検知回路５０Ｂに接続されている。電圧検知回路５０Ｂは、アルミ片４２４Ａの電圧を検知する。電圧検知回路５０Ｂには、警告ランプを点灯させる異常報知回路が組み込まれており、監視している電圧が定電圧（Ｖｃｃ）に変化した場合に、警告ランプを点灯させる。
【００３１】
表面側アルミ片４１８Ａ〜４１８Ｊと裏面側アルミ片４２０Ａ〜４２０Ｉで形成されている連続導電ラインが、表面側アルミ片４１８Ａから表面側アルミ片４１８Ｊまで連続していると、表面側アルミ片４１８Ｊの電位は電池電圧に等しい。電極積層体からガスが発生し、ラミネートフィルムの収容部８の内圧が高くなって膨張すると、密着周縁１０が開封して連続導電ラインが断線する。こうなると、表面側アルミ片４１８Ｊの電位は接地電圧に等しくなる。このとき、電圧検知回路５０Ａが監視している電圧が接地電圧に変化する。電圧検知回路５０Ａは、監視している電圧が接地電圧に変化した場合に、警告ランプを点灯させる。密着周縁１０が開封したことが報知される。
表面側アルミ片４２４Ａ〜４２４Ｊと裏面側アルミ片４２６Ａ〜４２６Ｉで形成されている連続導電ラインが、表面側アルミ片４２４Ａから表面側アルミ片４２４Ｊまで連続していると、表面側アルミ片４２４Ａの電位は接地電圧に等しい。電極積層体からガスが発生し、ラミネートフィルムの収容部８の内圧が高くなって膨張すると、密着周縁１０が開封して連続導電ラインが断線する。こうなると、表面側アルミ片４２４Ａの電位は定電圧（Ｖｃｃ）に等しくなる。このとき、電圧検知回路５０Ｂが監視している電圧が定電圧（Ｖｃｃ）に変化する。電圧検知回路５０Ｂは、監視している電圧が定電圧（Ｖｃｃ）に変化した場合に、警告ランプを点灯させる。密着周縁１０が開封したことが報知される。
【００３２】
本実施例では、密閉ケースを一巡する連続導電体が２分されており、一方の連続導体の一端４１８Ａが正端子１６に接続され、他端４１８Ｊが抵抗４４を介して接地されており、その他端４１８Ｊの電圧が監視されている。他方の連続導体の一端４２４Ａが抵抗４０を介して定電圧（Ｖｃｃ）に接続され、他端４２４Ｊが負端子２２に接続されており、その一端４２４Ａの電圧が監視されている。密着周縁が開封したことを報知する。本実施例では、２分されたいずれの導電ラインが断線したかを知ることができるため、密着周縁が開封した箇所を容易に把握することができる。
【００３３】
（第５実施例）
図９は、第５実施例に係る二次電池の概略平面図である。図９では、第１実施例と同様の構成には同じ符号を付して重複説明を省略する。
図９に示すように、二次電池５０２のラミネートフィルム４，６の周縁部１２，１４には、第１密着周縁５１０に加えて、第２密閉周縁５１１が形成されている。第１密着周縁５１０は、収容部８の外周に沿って形成されている。表面側アルミ片５１８群及び裏面側アルミ片５２０群（図示省略）と、表面側アルミ片５２４群と裏面側アルミ片５２６群（図示省略）は、第１密着周縁５１０が形成された領域に配置されている。第２密着周縁５１１は、表面側アルミ片５１８群及び裏面側アルミ片５２０群から成る導電ラインより外側、かつ、表面側アルミ片５２４群と裏面側アルミ片５２６群から成る導電ラインの外側に、ラミネートフィルム４，６の外周より内側に形成されている。
第１密着周縁５１０は１４０℃の熱溶着によって形成されており、第２密着周縁５１１は１６０℃の熱溶着によって形成されている。第１密着周縁５１０は６ｋｇｆの開封強度を有し、第２密着周縁５１１は１２ｋｇｆの開封強度を有する。
【００３４】
電極積層体からガスが発生し、収容部８の内圧が高くなって膨張すると、まず第１密着周縁５１０が開封して導電ラインが断線する。この時点で未だ第２密着周縁５１１が開封していなくても、電圧検知回路５０（図示省略）に入力される電圧が変化する。第２密閉５１１が開封して実際に液漏れやガス漏れが発生してしまう前に、液漏れやガス漏れが発生する可能性を報知することができる。
【００３５】
なお、第１密着周縁５１０の幅を、第２密着周縁５１１の幅よりも小さく形成することで、第１密着周縁５１０の開封強度を第２密着周縁５１１の開封強度よりも小さくすることができる。この場合、第１密着周縁５１０と第２密着周縁５１１の熱溶着温度を異ならせる必要はない。
例えば１４０℃で熱溶着して、第１密着周縁５１０を０．８ｍｍに形成し、第２密着周縁５１１を１．０ｍｍｍに形成した場合、７ｋｇｆの内圧がかかっていると、第１密着周縁５１０は１時間以内で開封するのに対し、第２密着周縁５１１は１時間を越えた頃に開封する。これにより、第２密閉５１１が開封して実際に液漏れやガス漏れが発生してしまう前に、第１密着周縁５１０が開封して、液漏れやガス漏れが発生する可能性を報知することができる。
【００３６】
以上のように本実施例では、導電ラインより内側の第１密着周縁の開封強度を、導電ラインよりも外側の第２密着周縁の開封強度より小さくすることで、実際に液漏れ又はガス漏れが発生する前段階において、液漏れ又はガス漏れの可能性を報知することができる。
【００３７】
（第６実施例）
図１０は、第６実施例に係る二次電池の概略平面図である。図１０では、第１実施例と同様の構成には同じ符号を付して重複説明を省略する。
二次電池６０２は、表面側（紙面手前側）のアルミ半ケース６０４と裏面側（紙面奥側）のアルミ半ケース６０６を重ね、その間に電極積層体を挟んで密閉して収容したものである。二次電池６０２では、収容部８の外周に沿って打ち込まれた複数のリベット６３８によって、収容部８を密閉している。
表面側アルミ片群は、表面側アルミ片６１８群と表面側アルミ片６２４群に２分されている。
表面側アルミ片６１８群は、表面側アルミ片６１８Ａから６１８Ｊに至るまで、リベット６３８に沿って等間隔で一列に配置されている。表面側アルミ片６１８Ａは、正端子１６に接触している。表面側アルミ片６１８Ｊは、抵抗４４を介して接地されている。表面側アルミ片６１８群は、図示しない裏面側アルミ片６２０群と同一ライン上に配置されている。
一方、表面側アルミ片６２４群は、表面側アルミ片６２４Ａから６２４Ｊに至るまで、リベット６３８に沿って等間隔で一列に配置されている。表面側アルミ片６２４Ａは、抵抗４０を介して定電圧（Ｖｃｃ）４２に接続されている。表面側アルミ片６２４Ｊは、負端子２２に接触している。表面側アルミ片６２４群は、図示しない裏面側アルミ片６２６群と同一ライン上に配置されている。
【００３８】
図１０のXI−XI断面図を、図１１に示す。図１１に示すように、表面側の周縁部６１２の内面には絶縁シート６１３が貼付され、裏面側の周縁部６１４の内面には絶縁シート６１５が貼付されている。絶縁シート６１３の内面には表面側アルミ片６２４群が嵌め込まれており、絶縁シート６１５の内面には裏面側アルミ片６２６群が嵌めこまれている。表面側アルミ片６２４群と裏面側アルミ片６２６群は全て平板形状である。各表面側アルミ片６２４の一方の平面は絶縁シート６１３の内面に露出し、各裏面側アルミ片６２６の一方の平面は絶縁シート６１５の内面に露出している。
各表面側アルミ片６２４と各裏面側アルミ片６２６は、交互にオフセットする位置関係で配置されている。これにより、一連の導電ラインが形成される。
また、絶縁シート６１３の内面には表面側アルミ片６１８群が嵌め込まれており、絶縁シート６１５の内面には図示しない裏面側アルミ片６２０群が嵌めこまれている。表面側アルミ片６１８群と裏面側アルミ片６２０群は全て平板形状である。各表面側アルミ片６１８の一方の平面は絶縁シート６１３の内面に露出し、各裏面側アルミ片６２０の一方の平面は絶縁シート６１５の内面に露出している。
各表面側アルミ片６１８と各裏面側アルミ片６２０も同様に、交互にオフセットする位置関係で配置されている。これにより、一連の導電ラインが形成される。図１０に示す正端子１６と電圧線３２が電気的に接続される。
【００３９】
電極積層体からガスが発生し、収容部８の内圧が高くなってリベット６３８群が対抗できなくなると、リベット６３８群の一部が抜ける。その箇所でアルミ半ケース６０４，６０６が開封する。この結果、表面側アルミ片６１８群と裏面側アルミ片６２０群で形成されていた導電ラインが断線すると、表面側アルミ片６１８Ｊの電位が接地電圧に変化する。電圧検知回路５０Ａは接地電圧を検知すると、図示しない異常報知回路によって警告ランプを点灯させる。これにより、密着周縁が開封したことが報知される。
一方、表面側アルミ片６２４群と裏面側アルミ片６２６群で形成されていた導電ラインが断線すると、表面側アルミ片６１８Ａの電位が定電圧（Ｖｃｃ）に変化する。電圧検知回路５０Ｂは定電圧（Ｖｃｃ）を検知すると、図示しない異常報知回路によって警告ランプを点灯させる。これにより、密着周縁が開封したことが報知される。
【００４０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
上記実施例では、二枚のラミネートフィルムあるいはアルミケースを使用していたが、これに限られるものではない。例えば長方形に形成された一枚のラミネートフィルムを、長手方向の辺の中程で折曲げて、折曲げた対向面間に電極積層体を挟み、他の３方の開放された辺を密閉してもよい。
上記実施例では、電極体を、正極とセパレータと負極とセパレータの組を積層して形成していたが、これに限られるものではない。例えば正極とセパレータと負極とセパレータの組を捲回して電極体を形成してもよい。また、複数のセパレータを用いずに、一つのセパレータのみを用いて形成してもよい。
上記第１〜４，６実施例においても、第５実施例のように、二重の密閉構造にしてもよい。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００４１】
【図１】第1実施例の二次電池の概略斜視図。
【図２】第1実施例の二次電池の断面図。
【図３】第1実施例の二次電池の密着周縁が開封した状態の断面図。
【図４】第１実施例の変形例の模式図。
【図５】第２実施例の二次電池の模式図。
【図６】第３実施例の二次電池の模式図。
【図７】第４実施例の二次電池の概略平面図。
【図８】第４実施例の二次電池の断面図。
【図９】第５実施例の二次電池の概略平面図。
【図１０】第６実施例の二次電池の概略平面図。
【図１１】第６実施例の二次電池の断面図。
【符号の説明】
【００４２】
２  ：二次電池、
４，６：ラミネートフィルム、
８  ：収容部、
１０：密着周縁、
１２，１４：周縁部、
１６：正端子、
１８：表面側アルミ片群、
２０：裏面側アルミ片群、
２２：負端子、
３０，３２：電圧線、
４０，４４：抵抗
４２：電源線、
４６：アース、
５０：電圧検知回路、
５２：異常報知回路
【図１】
2006164532.tif 000003
【図２】
2006164532.tif 000004
【図３】
2006164532.tif 000005
【図４】
2006164532.tif 000006
【図５】
2006164532.tif 000007
【図６】
2006164532.tif 000008
【図７】
2006164532.tif 000009
【図８】
2006164532.tif 000010
【図９】
2006164532.tif 000011
【図１０】
2006164532.tif 000012
【図１１】
2006164532.tif 000013